(57)【特許請求の範囲】
【請求項１】
一側にハンガー掛止部が設けられ、下側にリンク結合孔が設けられたメインボディと、
前記メインボディの内側に収容結合され、回転運動を行うカムボディと、
前記カムボディの外周面に結合され、前記メインボディの内側に収容結合され、前端部が前記リンク結合孔へ突出してハンガーに結合されるように設けられ、前記カムボディの回転運動に対応して直線往復運動して前記ハンガーを揺らすリンク部と、
前記カムボディに軸結合され、前記カムボディを回転させるモーター部と、
前記メインボディの内部に収容され、前記モーター部に電源を印加して作動を制御する電源制御部と、
前記メインボディの他側端部に結合されるカバープレートと、
前記カバープレートが結合されるブラケットとを含んでなることを特徴とする、衣服リフレッシュ装置。
【請求項２】
前記メインボディは、内部には、前記カムボディの軸が結合される軸結合部が設けられ、内側下端面には、前記リンク部が結合されて往復運動するようにするガイドホールが設けられたことを特徴とする、請求項１に記載の衣服リフレッシュ装置。
【請求項３】
前記カムボディは、外周面にねじ山状のガイド溝が設けられ、前記ガイド溝には前記リンク部が結合されることを特徴とする、請求項２に記載の衣服リフレッシュ装置。
【請求項４】
前記リンク部は、
前記メインボディのガイドホールに結合されるリンクボディと、前記リンクボディの一面に設けられ、前記カムボディのガイド溝に結合されるリンク締結具と、前記リンクボディの前端部に設けられ、前記メインボディのリンク結合孔へ突出してハンガーに結合されるハンガー係止具とから構成されることを特徴とする、請求項３に記載の衣服リフレッシュ装置。
【請求項５】
前記モーター部の外周面にはモーターラバー部がさらに設けられ、該モーターラバー部は、内側が前記モーター部と軸結合され、外側は前記カムボディと軸結合されることを特徴とする、請求項１に記載の衣服リフレッシュ装置。
【請求項６】
前記カバープレートは、前記モーター部を収容して固定させるモーター固定部と、前記電源制御部を収容結合する電源固定部とが設けられたことを特徴とする、請求項１に記載の衣服リフレッシュ装置。
【請求項７】
前記ブラケットは一側端部にドア結合具が設けられたことを特徴とする、請求項１に記載の衣服リフレッシュ装置。
【請求項８】
前記衣服リフレッシュ装置は、前記メインボディの内側にディフューザーがさらに設けられることを特徴とする、請求項１に記載の衣服リフレッシュ装置。
【請求項９】
前記カバープレートには、前記ディフューザーを収容して固定させるためのディフューザー固定部がさらに設けられることを特徴とする、請求項８に記載の衣服リフレッシュ装置。
【請求項１０】
前記衣服リフレッシュ装置は、前記メインボディの内部に設けられ、前記電源制御部と電気的に接続され、前記モーター部の速度を制御するための速度制御部がさらに備えられることを特徴とする、請求項１に記載の衣服リフレッシュ装置。
【請求項１１】
前記衣服リフレッシュ装置は、前記メインボディに結合され、前記電源制御部と電気的に接続され、前記モーター部の回転時間を制御するためのタイマーがさらに設けられることを特徴とする、請求項１に記載の衣服リフレッシュ装置。
【請求項１２】
前記メインボディの前端部にはトップボディが結合されることを特徴とする、請求項１に記載の衣服リフレッシュ装置。
【請求項１３】
前記メインボディの一側に外側に露出するように設けられ、前記電源制御部の作動を制御するための作動スイッチ部がさらに備えられることを特徴とする、請求項１に記載の衣服リフレッシュ装置。
【発明の詳細な説明】
【技術分野】
【０００１】
本発明は、衣服の皺や匂いを洗濯せずに取り除くことができるようにする衣服リフレッシュ装置に係り、特に、ハンガーに掛けて衣服を揺らす動作によって小さな力でも衣服の高速振動が可能であって衣服のリフレッシュが迅速に行われるようにする衣服リフレッシュ装置に関する。
【背景技術】
【０００２】
一般に、家庭で行うアイロンがけは、洗濯された衣服をアイロン台にのせ、湿気を加えた後、人体の各部位別にアイロンで加圧して皺を伸ばすことにより行われる。最近では、スチームを用いたアイロンがけも行われている。
【０００３】
このようなアイロンがけ方法は、主に洗濯を済ませた服に使用されるが、一度着た服や、クローゼット内への保管中に皺が寄った服、匂いがする服、皺くちゃになった服にも使用される。このようにいちいちアイロンがけをすることは、かなりの家事負担として作用している。
【０００４】
また、勤め人を含め、１人１家族世帯が多い現代人の場合には、退勤後や夜の時間にアイロンがけをするのが容易ではない。
【０００５】
特に、勤め人の場合は、洋服や外出着、ズボンなどを一日中着用した状態で勤務を行うため、特定の部位、すなわち、上着の腕が折れる部分、椅子に座る部分、椅子に凭れる部分、ズボンの膝部分に皺が集中してできる。
【０００６】
また、飲み会がある場合には、食べ物の匂いやタバコの匂いなどが服に染み込み、一度着た服を再び着るには困る状態になることもある。
【０００７】
一般に、一度着た服はハンガーに掛けておいたり、香り付きの繊維消臭スプレーなどを使用したりするが、皺の除去がうまく行われておらず、匂いや皺が酷い場合には、汚れていないにも拘わらずすぐに洗濯することもある。
【０００８】
このような点を改善するために、洗濯を行うことなく、まるで服を洗濯したかの如くリフレッシュするための装置に関する研究が従来より盛んに行われてきた。
【０００９】
従来の技術として、特許文献１では、衣類が収容される収容空間を備えるキャビネットと、前記収容空間へ供給される蒸気を発生させるスチーム発生装置と、前記収容空間へ供給される熱風を発生させる熱風発生装置と、前記スチーム発生装置および前記熱風発生装置で生成したスチームおよび熱風の少なくとも一つを前記収容空間へ供給し、前記収容空間の内側に固定される第１ノズル装置と、前記スチーム発生装置および前記熱風発生装置で生成したスチームおよび熱風の少なくとも一つを前記収容空間へ供給し、前記収容空間の内側に移動可能に備えられる第２ノズル装置とを含んでなる、衣類処理装置およびその制御方法を開示している。
【００１０】
特許文献２では、密閉された衣類収容空間を形成し、鉤部を有するハウジングと、前記ハウジングの上部の内側に設けられた振動発生部と、前記振動発生部に連設され、前記衣類収容空間で衣類を据え置く据置部と、衣類に接触作用する機能性液状組成物を貯留し、前記衣類収容空間に収容された衣類に前記機能性液状組成物を噴射する液状組成物供給部とを含んでなる携帯用衣類処理装置を開示している。
【００１１】
これらの従来の技術は、 基本的に、密閉された場所に衣類を保管するためのキャビネットまたはハウジングが必要であって、スペースの観点から設置場所の制約があるうえ、これを稼働するための動力が必要であって体積が大きく高価であるという欠点がある。
【００１２】
また、特許文献３では、衣類が収容される処理室、前記処理室内に熱風およびスチームの少なくとも一つを提供する加熱部と、前記処理室の内部に配置されたハンガー棒と、前記処理室の上側に配置され、回転力を発生させる駆動部と、前記駆動部の回転力を伝達する動力伝達部と、前記動力伝達部から伝達された回転力を変換して前記ハンガー棒を往復運動させる動力変換部とを含んでなる衣類処理装置を提供する。
【００１３】
この従来の技術は、回転力を持つモーター装置と、該回転力を左右往復運動に変換する変換部などを含むため、装置の構造が複雑で、騒音および振動が激しく、左右に動く往復運動によって布地を揺らすため皺回復効果にも劣るという問題点があり、装置が大きくて複雑であるため、様々な家庭環境で使用するには適さないという欠点がある。
【先行技術文献】
【特許文献】
【００１４】
【特許文献１】韓国特許公開第２０１１−００９９９１４号公報
【特許文献２】韓国特許公開第２０１３−００２６８３５号公報
【特許文献３】韓国特許公開第２０１１−００６６４１１号公報
【発明の概要】
【発明が解決しようとする課題】
【００１５】
本発明は、かかる問題点を解決するためになされたもので、その目的は、ハンガーに掛けて衣服を揺らす動作によって小さな力でも衣服の高速振動が可能であって衣服のリフレッシュが迅速に行われるようにする衣服リフレッシュ装置を提供することにある。
【課題を解決するための手段】
【００１６】
上記目的を達成するための本発明は、一側にハンガー掛止部が設けられ、下側にリンク結合孔が設けられたメインボディと、前記メインボディの内側に収容結合され、回転運動を行うカムボディと、前記カムボディの外周面に結合され、前記メインボディの内側に収容結合され、前端部が前記リンク結合孔へ突出してハンガーに結合されるように設けられ、前記カムボディの回転運動に対応して直線往復運動して前記ハンガーを揺らすリンク部と、前記カムボディに軸結合され、前記カムボディを回転させるモーター部と、前記メインボディの内部に収容され、前記モーター部に電源を印加して作動を制御する電源制御部と、前記メインボディの他側端部に結合されるカバープレートと、前記カバープレートが結合されるブラケットとを含んでなることを特徴とする、衣服リフレッシュ装置を技術的要旨とする。
【００１７】
また、前記メインボディは、内部には、前記カムボディの軸が結合される軸結合部が設けられ、内側下端面には、前記リンク部が結合されて往復運動するようにするガイドホールが設けられたことが好ましい。
【００１８】
ここで、前記カムボディは、外周面にねじ山状のガイド溝が設けられ、前記ガイド溝には前記リンク部が結合されることが好ましい。
【００１９】
また、前記リンク部は、前記メインボディのガイドホールに結合されるリンクボディと、前記リンクボディの一面に設けられ、前記カムボディのガイド溝に結合されるリンク締結具と、前記リンクボディの前端部に設けられ、前記メインボディのリンク結合孔へ突出してハンガーに結合されるハンガー係止具とから構成されることが好ましい。
【００２０】
また、前記モーター部の外周面にはモーターラバー部がさらに設けられ、該モーターラバー部は、内側が前記モーター部と軸結合され、外側は前記カムボディと軸結合されることが好ましい。
【００２１】
また、前記カバープレートは、前記モーター部を収容して固定させるモーター固定部と、前記電源制御部を収容結合する電源固定部とが設けられたことが好ましい。
【００２２】
また、前記ブラケットは、一側端部にドア結合具が設けられたことが好ましい。
【００２３】
一方、前記衣服リフレッシュ装置は、前記メインボディの内側にディフューザーがさらに設けられることが好ましく、前記カバープレートには、前記ディフューザーを収容して固定させるためのディフューザー固定部がさらに設けられることが好ましい。
【００２４】
また、前記衣服リフレッシュ装置は、前記メインボディの内部に設けられ、前記電源制御部と電気的に接続され、前記モーター部の速度を制御するための速度制御部がさらに備えられることが好ましく、また、前記メインボディに結合され、前記電源制御部と電気的に接続され、前記モーター部の回転時間を制御するためのタイマーがさらに設けられることが好ましい。
【００２５】
また、前記メインボディの前端部にはトップボディが結合されることが好ましい。
【００２６】
また、前記メインボディの一側に外側に露出するように設けられ、前記電源制御部の作動を制御するための作動スイッチ部がさらに備えられることが好ましい。
【発明の効果】
【００２７】
本発明によれば、既存の衣服リフレッシュ装置に比べて非常に単純な構成によって簡便にハンガーに装着するだけで衣服のリフレッシュを可能にして作動および管理が便利であり、空間の活用度にも優れるという効果がある。
【００２８】
また、ハンガーに荷重が集中する荷重軸部分と、リンク部によってハンガーが揺れる部分（駆動軸）が分離され、小さな力でも短い波動の衣服の揺れを誘導することにより、小型のモーター部を備えてもその効果を最大化することができるため、小型化・軽量化が可能な衣服リフレッシュ装置を提供することができるという効果がある。
【００２９】
これにより、衣服の皺だけでなく、埃および匂いを迅速に除去することができ、ディフューザーによる脱臭、除菌、香り付けなどを実現することができるため、一度着た服でも洗濯を行うことなくまるで新しい服かの如くリフレッシュされるという効果がある。
【図面の簡単な説明】
【００３０】
【図１】本発明に係る衣服リフレッシュ装置の分解斜視図である。
【図２】図１を他の側面から眺めた分解斜視図である。
【図３】本発明に係る衣服リフレッシュ装置の垂直部分断面図である。
【図４】本発明に係る衣服リフレッシュ装置の水平部分断面図である。
【図５】本発明に係る衣服リフレッシュ装置の斜視図である。
【図６】本発明に係る衣服リフレッシュ装置の作動例示図である。
【発明を実施するための形態】
【００３１】
本発明は、衣服の皺や匂いを洗濯せずに簡便に取り除くことができるようにする衣服リフレッシュ装置に関し、特に、ハンガーに掛けて衣服を揺らす動作によって小さな力でも衣服の高速振動が可能であって衣服のリフレッシュが迅速に行われるようにするものである。
【００３２】
以下に添付図面を参照しながら、本発明の好適な実施形態を詳細に説明する。
図１は本発明に係る衣服リフレッシュ装置の分解斜視図、図２は図１を他の側面から眺めた分解斜視図、図３は本発明に係る衣服リフレッシュ装置の垂直部分断面図、図４は本発明に係る衣服リフレッシュ装置の水平部分断面図、図５は本発明に係る衣服リフレッシュ装置の斜視図、図６は本発明に係る衣服リフレッシュ装置の作動例示図である。
【００３３】
図示の如く、本発明に係る衣服リフレッシュ装置は、一側にハンガー掛止部１１０が設けられ、下側にリンク結合孔１２０が設けられたメインボディ１００と、前記メインボディ１００の内側に収容結合され、回転運動を行うカムボディ２００と、前記カムボディ２００の外周面に結合され、前記メインボディ１００の内側に収容結合され、前端部が前記リンク結合孔１２０へ突出してハンガー１０に結合されるように設けられ、前記カムボディ２００の回転運動に対して直線往復運動して前記ハンガー１０を揺らすリンク部３００と、前記カムボディ２００に軸結合され、前記カムボディ２００を回転させるモーター部４００と、前記メインボディ１００の内部に収容され、前記モーター部４００に電源を印加して作動を制御する電源制御部（図示せず）と、前記メインボディ１００の他側端部に結合されるカバープレート６００と、前記カバープレート６００が結合されるブラケット７００とを含んでなる。
【００３４】
まず、前記メインボディ１００は、円筒状をし、一側にハンガー掛止部１１０が設けられ、下側にリンク結合孔１２０が設けられる。
【００３５】
前記メインボディ１００は、前段ボディは断面積の狭い円筒状をしてハンガーのフック部１１がスムーズに掛止されるようにし、後段ボディは断面積の広い円筒状をして内部に本発明に係る構成要素がすべて収容される程度の大きさとする。
【００３６】
前記メインボディ１００の一側、好ましくは前端部にハンガー１０を掛けることができるようにハンガー掛止部１１０が設けられる。
【００３７】
前記ハンガー掛止部１１０は、ハンガー１０が水平方向に揺れてもハンガーのフック部１１は揺れないように、メインボディ１００の外周面に沿って凹溝として設けられ、ハンガーのフック部１１が挿入結合できるようにする。
【００３８】
すなわち、ハンガー全体が水平方向に揺れるのではなく、ハンガーのフック部１１は、前記ハンガー掛止部１１０に掛止されており、下側部、服が掛けられている部分のみ揺れるように設けられ、荷重が集中する部分（荷重軸、ハンガーのフック部１１）を中心に、その下方である荷重のかかる部分（駆動軸、服が掛けられる部分）のみ揺れるようにするのである。
【００３９】
前記メインボディ１００の下側にはリンク結合孔１２０が設けられ、後述のリンク部３００が結合されるようにする。
【００４０】
前記リンク結合孔１２０は、メインボディ１００の後端部である断面積の広いボディの前端下側に設けられ、他の構成要素間の干渉を最小限に抑え、リンク部３００がメインボディ１００の内／外部をスムーズに直線往復運動することができるようにリンク部３００の幅よりやや大きくする。
【００４１】
また、前記メインボディ１００は、内部には、後述のカムボディ２００の軸が結合される軸結合部１３０が設けられ、内側の下端面には、リンク部３００が結合されて往復運動するようにするガイドホール１４０が設けられる。
【００４２】
前記軸結合部１３０は、前記リンク部３００の軸が結合され、安定的に収容されるが、リンク部３００の回転が可能な程度の幅に形成される。前記リンク部３００がメインボディ１００の下側に位置するため、前記軸結合部１３０もメインボディ１００内の下側に位置することになる。
【００４３】
前記メインボディ１００の内側の下端面にはリンク部３０が結合されるガイドホール１４０が設けられ、該ガイドホールは、リンク部３００が安定的に直線往復運動を行うことができるようにガイドし、後述するリンク部３００のリンクボディ３１０の部分が結合される。
【００４４】
次に、前記カムボディ２００は、前記メインボディ１００の内側に収容結合され、回転運動を行うもので、円筒状をし、後述のモーター部４００の回転力を受けて回転するように形成される。前記カムボディ２００は、後述の速度制御部８２０およびタイマー８３０と電気的に接続され、その回転速度および作動時間を制御することができるようにする。
【００４５】
前記カムボディ２００は、外周面にねじ山状のガイド溝２１０が設けられ、前記ガイド溝２１０にリンク部３００が結合される。よって、前記カムボディ２００の回転運動に対応して、前記リンク部３００は直線往復運動を行う。
【００４６】
そして、前記リンク部３００は、前記カムボディ２００の外周面に結合され、前記メインボディ１００の内側に収容結合され、前端部が前記リンク結合孔１２０へ突出してハンガー１０に結合されるように設けられ、前記カムボディ２００の回転運動に対して直線往復運動してハンガー１０を揺らす役割を果たす。
【００４７】
好ましくは、前記リンク部３００は、前記メインボディ１００のガイドホール１４０に結合されるリンクボディ３１０と、前記リンクボディ３１０の一面に設けられ、前記カムボディ２００のガイド溝２１０に結合されるリンク締結具３２０と、前記リンクボディ３１０の前端部に設けられ、前記メインボディ１００のリンク結合孔１２０へ突出してハンガー１０に結合されるハンガー係止具３３０とから構成される。
【００４８】
前記リンク部３００は、全体的に矩形の板状にリンクボディ３１０が設けられ、前記リンクボディ３１０の一面の上側には突出したリンク締結具３２０が設けられ、前端部には「コ」字状のハンガー係止具３３０が設けられる。これにより、カムボディ２００の回転運動に対して、リンク部３００は直線往復運動を行うことができる。
【００４９】
すなわち、前記リンク部３００は、前記カムボディ２００の外周面に設けられたガイド溝２１０にリンク締結具３２０が結合され、前記カムボディ２００が回転すると、自然に直線往復運動するように設けられたのである。また、直線往復運動の際には前記リンクボディ３１０がメインボディ１００のガイドホール１４０で安定的に動くことができるようにし、前記メインボディ１００のリンク結合孔１２０へ突出したハンガー係止具３３０にハンガー１０を係止すると、ハンガー１０がリンク部３００の直線往復運動に対応して水平に揺れるのである。
【００５０】
ここでは、ハンガーのフック部１１は、前記メインボディ１００のハンガー掛止部１１０に固定されており（正確にはハンガーのフック部１１の上側部）、図６に示すように、前記リンク部３００のハンガー係止具３３０は、ハンガーのフック部１１と服の掛けられているハンガーの下側部分（三角形の部分）との間に結合されることが好ましい。
【００５１】
これにより、リンク部３００の直線往復運動に対応してハンガーの下側部分が揺れるが、この場合、ハンガー１０の荷重が集中する部分（荷重軸）は固定されており、下側部分（荷重がかかる部分、駆動軸）のみ一定の遊隔をもって揺れるので、小さな力でも服の揺れを強く誘導することができて、小型／軽量の衣服リフレッシュ装置を提供することができる。
【００５２】
図６は本発明に係る衣服リフレッシュ装置の作動原理（図６ａ）と、既存の衣服リフレッシュ装置の作動原理（図６の（ｂ））を示す。
【００５３】
図示の如く、本発明に係る衣服リフレッシュ装置は、荷重が集中する部分（ハンガーのフック部１１の上側、荷重軸）が前記メインボディ１００のハンガー掛止部１１０に固定されている状態で、リンク部３００の直線往復運動に対してハンガー１１の下側部分（駆動軸）のみ揺れるように形成して、短い波長の揺れを誘導することにより、衣服の埃や皺の除去に卓越した効果を示すようにした。
【００５４】
すなわち、既存の方式は、衣服に対して大きな力で長い波動の揺れ（遅い揺れ）を誘導するが、これに対し、本発明は、衣服による荷重の集中する荷重軸と、荷重のかかる駆動軸（リンク部３００のハンガー係止具３３０がハンガー１０に結合される部分）が分離され、小さな力でも短い波動の揺れ（速い揺れ）を誘導することにより、エネルギー消費を減らすことができ、小型／軽量でも服のリフレッシュ効果を極大化することができるようにするのである。
【００５５】
前記モーター部４００は、前記カムボディ２００と軸結合され、前記カムボディ２００を一定の速度で回転させる役割を果たす。前記モーター部４００は、前記メインボディ１００の内部に収容される電源制御部（図示せず）によって電源の供給を受け、作動が制御される。
【００５６】
ここで、前記電源制御部には、電源を供給するために充電が可能なバッテリー部５１０と、制御のための制御ボード部（図示せず）とから構成できる。
【００５７】
前記モーター部４００は、減速モーター(DC geared motor)を使用し、前記電源制御部によって電源の供給を受けて作動を開始し、回転速度や動作時間などを制御することができるように形成される。
【００５８】
ここで、前記モーター部４００の回転速度を制御するために、前記メインボディ１００の内部に設けられ、前記電源制御部と電気的に接続され、前記モーター部４００の速度を制御するための速度制御部８２０がさらに備えられてもよい。前記速度制御部８２０は、衣服の種類や重さに応じて或いは衣服の皺や匂いの程度に応じてモーター部４００の速度を調節することにより衣服の揺れを調節することができるようにするものである。
【００５９】
すなわち、衣服が重い場合にはモーター部４００の速度を遅め（長い波動）、衣服が軽い場合にはモーター部４００の速度を速めて（短い波動）衣服の揺れを調節することにより、皺や匂いを効率よく取り除くことができるようにし、皺または匂いが酷い場合には高速で非常に短い波動の服の揺れを誘導して効率的かつ迅速に衣服がリフレッシュされるようにするのである。
【００６０】
また、前記モーター部４００の作動時間を制御することができるように、前記メインボディ１００の内部に設けられ、前記電源制御部と電気的に接続されて前記モーター部４００の回転時間を制御するためのタイマー８３０がさらに備えられてもよい。前記タイマー８３０は、衣服に応じて別個にタイマー８３０を設定することもでき、一定の時間の間にモーター部４００が作動するようにセットして製作することもできる。
【００６１】
前記速度制御部８２０および前記タイマー８３０は他の構成要素に対して空間的に効率よく配置されることが好ましく、具体的には、前記速度制御部８２０は前記モーター部４００またはハンガー掛止部１１０に隣接して設けられてもよく、前記タイマー８３０は前記メインボディ１００の前端部に設けられることが好ましい。
【００６２】
前記タイマー８３０がメインボディ１００の前端部に設けられた場合には、前記メインボディ１００の前端部にトップボディ９００をさらに備えることにより、タイマー８３０が安定的に結合されるようにする。
【００６３】
前記モーター部４００の外周面にはモーターラバー部(motor-rubber)４１０がさらに設けられる。該モーターラバー部４１０は、内側が前記モーター部４００と軸結合され、外側が前記カムボディ２００と軸結合されることにより、モーター部４００の振動および騒音を緩和させる。
【００６４】
前記モーターラバー部(motor-rubber)４１０は、前記モーター部４００を取り囲むように設けられ、内部には凹凸模様が形成され、モーター部４００の回転に対応して共に回転できるようにして、最終的にモーターラバー部４１０とカムボディ２００とが軸結合されてカムボディ２００に回転力を伝達することができるようにする。
【００６５】
一方、前記モーター部４００の作動やタイマー８３０および回転速度の制御などは、前記電源制御部によって行われる。前記電源制御部の作動を制御するために、メインボディ１００の一側には外側に露出するように作動スイッチ部８４０をさらに備えてもよい。よって、前記作動スイッチ部８４０の作動によって、モーター部４００に電源を供給し、タイマー８３０を作動させ、回転速度を制御することができるようにする。必要に応じて、各作動スイッチ部８４０はタイマー８３０や速度制御部８２０などの位置に応じて隔設してもよい。
【００６６】
また、本発明に係る衣服リフレッシュ装置のメインボディ１００の内側にはディフューザー８１０がさらに設けられる。該ディフューザー８１０は、服の細菌をなくし、香りを付け、衣服の匂いを取り除くことができるようにする。前記ディフューザー８１０がメインボディ１００に収容される場合には、ディフューザー８１０の内容物が噴射されて外部へ放出されるように、前記メインボディ１００に噴出口をさらに設けることができる。
前記ディフューザー８１０は、既存の自動噴射式で作動するものを使用することができ、モーター部４００の作動に連動して作動するようにするか、或いはディフューザー作動スイッチをさらに備えて別個に作動するようにする。
【００６７】
前記カバープレート６００は、前記メインボディ１００の他側端部に結合されてメインボディ１００を密閉させ、メインボディ１００の内部に本発明に係る構成要素がすべて含まれるようにする。
【００６８】
前記カバープレート６００は、前記モーター部４００を収容して固定させるモーター固定部６１０、および前記電源制御部を収容結合する電源固定部６２０が設けられ、前記ディフューザー８１０が設けられた場合にはディフューザー固定部６３０がさらに設けられる。
【００６９】
前記カバープレート６００は、前記メインボディ１００を密閉させると同時に、メインボディ１００の内部に収容された構成要素を安定的に固定させる役割を果たすが、前記モーター固定部６１０、電源固定部６２０およびディフューザー固定部６３０がその役割を果たす。
【００７０】
前記モーター固定部６１０は、モーター部４００の内部に収容固定されるように設けられ、モーターラバー部４１０が設けられた場合にはモーター部４００およびモーターラバー部４１０が共に収容されるように設けられ、安定的なモーター部４００の位置固定のために、前記カバープレート６００の一側面からモーター部４００（またはモーターラバー部４１０）の長さに対応して突出するように設けられることが好ましい。
【００７１】
前記電源固定部６２０は、前記電源制御部のバッテリー部５１０が収容固定されるものであって、半円形の収容部として設けられてもよく、必要に応じて多数個設けられてもよい。前記電源固定部６２０は、空間の効率的な配置を考慮して、前記モーター固定部６１０の上部の両側にそれぞれ一つずつ設けられることが好ましい。
【００７２】
前記ディフューザー固定部６３０は、前記ディフューザー８１０が収容固定されるものであって、半円形の収容部として設けられてもよく、空間の効率的な配置を考慮して、前記モーター固定部６１０および電源固定部６２０の上側に設けられることが好ましい。
【００７３】
すなわち、前記モーター固定部６１０が前記カバープレート６００の下側の中心部に設けられ、その上方の両側には電源固定部６２０が設けられ、電源固定部６２０同士の中間の中心上方にはディフューザー固定部６３０が設けられるが、これは必要に応じて変動できる。
【００７４】
前記ブラケット７００は、前記カバープレート６００が結合されるもので、何処かに固定して本発明に係る衣服リフレッシュ装置を使用することができるようにする。
【００７５】
好ましくは、前記ブラケット７００の一側端部にドア結合具７１０を設け、これをドアの上端に掛けて、本発明に係る衣服リフレッシュ装置を使用することができるようにする。
【００７６】
すなわち、ドアにブラケット７００のドア結合具７１０を掛け、衣服の掛けられたハンガー１０を前記メインボディ１００のハンガー掛止部１１０に掛止した後、作動スイッチ部８４０を作動させると、モーター部４００が作動して衣服のリフレッシュが始まるのである。
【００７７】
上述したように、本発明は、「スタイラー」という名で市販されている製品に比べて非常に単純な装置によって簡便にハンガーに装着するだけで衣服のリフレッシュを可能にしたものであって、ハンガーに荷重が集中する部分（荷重軸）と、リンク部によってハンガーが揺れる部分（駆動軸）が分離され、小さな力でも短い波動の衣服の揺れを誘導することにより、小型のモーター部を備えてもその効果を最大化することができるため、小型化・軽量化が可能な衣服リフレッシュ装置を提供することができるようにする。
【００７８】
これにより、衣服の皺だけでなく、埃および匂いを迅速に取り除くことができ、ディフューザーによる脱臭、除菌、香り付けなどを実現することができるため、一度着た服でも洗濯を行うことなくまるで新しい服かの如くリフレッシュされる効果を奏することができる。
【符号の説明】
【００７９】
１０    ハンガー
１１    フック部
１００    メインボディ
１１０    ハンガー掛止部
１２０    リンク結合孔
１３０    軸結合部
１４０    ガイドホール
２００    カムボディ
２１０    ガイド溝
３００    リンク部
３１０    リンクボディ
３２０    リンク締結具
３３０    ハンガー係止具
４００    モーター部
４１０    モーターラバー部
５１０    バッテリー部
６００    カバープレート
６１０    モーター固定部
６２０    電源固定部
６３０    ディフューザー固定部
７００    ブラケット
７１０    ドア結合具
８１０    ディフューザー
８２０    速度制御部
８３０    タイマー
８４０    作動スイッチ部
９００    トップボディ
【図１】
0005966051.tif 000002
【図２】
0005966051.tif 000003
【図３】
0005966051.tif 000004
【図４】
0005966051.tif 000005
【図５】
0005966051.tif 000006
【図６】
0005966051.tif 000007